(57)【要約】【課題】平面形状のフレームでも充分な強度を持たせて搬送できる搬送治具とフレームとの着脱が容易にできる構造をもつ画像表示装置と、搬送治具とを提供することにある。  【解決手段】表示面を有した前面基板およびこの前面基板に対向配置された矩形状の背面基板を備えた外囲器１０に、この外囲器１０を補強するためのフレーム３を取り付け、このフレーム３に搬送治具を容易に着脱可能とするためのフック１を設けた画像表示装置である。上記画像表示装置を搬送するための搬送治具において、搬送治具を構成する補強部材に取り付けられフレーム３に設けられたフック１に着脱する係合手段を設けた搬送治具である。【選択図】  図３
2005091662.tif 000002
【特許請求の範囲】
【請求項１】
表示面を有した前面基板およびこの前面基板に対向配置された矩形状の背面基板を備えた外囲器と、
前記背面基板の外面に取り付けられ前記外囲器を補強したフレームと、
前記フレームに取り付けられ、前記フレームを搬送治具に係合するためのフックと
から構成されることを特徴とする画像表示装置。
【請求項２】
前記フックは前記フレームのセンターに対して対称に取り付けられた４つからなることを特徴とする請求項１記載の画像表示装置。
【請求項３】
表示面を備えた外囲器とこの外囲器を補強するフレームとからなる画像表示装置を搬送するための搬送治具において、
補強部材と、
この補強部材に取り付けられ前記フレームに設けられたフックに着脱する係合手段と
を備えたことを特徴とする搬送治具。
【請求項４】
前記補強部材は、
枠状の部材と、
この枠状の部材に固定されているX字型の梁と、を用いて構成されていることを特徴とする請求項３記載の搬送治具。
【請求項５】
前記係合手段は、
ノブと、
このノブの回動に応じて進退可能なロッドと、
このロッドに取り付けられて、前記フックに係合するボールブランジャと
で構成されていることを特徴とする請求項３記載の搬送治具。
【請求項６】
請求項３に記載の搬送治具を用いて請求項１に記載の画像表示装置を搬送する搬送方法において、
前記フレームに設けられたフックに前記搬送治具に設けられた係合手段を係合させる係合工程と、
前記搬送治具により前記画像表示装置を搬送する搬送工程と、
前記フックと前記係合手段の係合状態を解除する解除工程と、
から成ることを特徴とする搬送方法。
【発明の詳細な説明】
【技術分野】
【０００１】
本発明は、画像表示装置及び搬送治具及び搬送方法に関する。
【背景技術】
【０００２】
近年、陰極線管（以下、CRTと称する）に代わる次世代の軽量、薄型の表示装置として様々な平面型の画像表示装置が開発されている。このような画像表示装置には、液晶の配向を利用して光の強弱を制御する液晶ディスプレイ（以下、LCDと称する）、プラズマ放電の紫外線により蛍光体を発光させるプラズマディスプレイパネル（以下、PDPと称する）、電界放出型電子放出素子の電子ビームにより蛍光体を発光させるフィードエミッションディスプレイ（以下、FEDと称する）、表面伝導型電子放出素子の電子ビームにより蛍光体を発光させる表面伝導電子放出ディスプレイ（以下、SEDと称する）などがある。
【０００３】
例えばFEDやSEDでは、一般に所定の隙間を置いて対向配置された２枚の基板を有し、これらの基板周辺部同士を互いに接合することにより外囲器を構成している。このようなFEDやSEDでは、外囲器の厚さを数mm程度にまで薄くすることができ、現在のテレビやコンピュータのディスプレイとして使用されているCRTと比較して、軽量化、薄型化を達成することができるとともに、省電力化を達成することができる。
【０００４】
近年、画像表示装置の大型化に伴い、外囲器を構成する基板も大型となっている。しかし、大型化に伴い、外囲器の強度低下、共振周波数の低下、重量増大等が問題となる。そいで外囲器の機械的強度を上げる目的で、背面基板の裏面側に補強用のフレームを取り付けた構造が提案されている。このようなフレームとしては、背面基板とほぼ同じ大きさを有した金属板を背面基板の裏面全体に貼り付けた構造、あるいは、矩形枠状の金属フレームを背面基板の外面周縁部に沿って固定した構造が提案されている（例えば、特許文献１及び特許文献２参照）。
【特許文献１】特開２０００−１０４９３号公報（第４頁、図２）
【特許文献２】特開平１１−１４６３０５号公報（第４頁、図３）
【発明の開示】
【発明が解決しようとする課題】
【０００５】
しかしながら、上記のように背面基板の裏面全体に金属板を貼り付けた構造の場合、表示装置全体が重くかつ厚くなり、本来の目的である軽量化、薄型化の妨げとなる。また、上記構造の場合、重量等が増加する割合に比較して、表示装置の強度向上の割合が低いという問題がある。
【０００６】
薄型の矩形枠状の金属フレームを用いた場合、上記問題点を解決できるが、表示装置中央部の強度を十分に上げることができず、表示装置の落下時や外的負荷が作用した際、この中央部に歪が生じ易い。また、矩形枠状の金属フレームは、ねじれに対して十分な強度を維持することが困難となるといった新たな問題点が生じる。さらに低強度な平面形状のフレームは、製造工程間の搬送もしくはトラック等で運搬する際の落下や振動により変形する可能性があるため、フレーム強度を損なうことなく搬送できるフレーム構造と搬送治具が必要になる。また、フレームと搬送用治具を容易に着脱できる構造が要求される。
【０００７】
この発明は、上記の点に鑑みなされたもので、その目的は、平面形状のフレームでも充分な強度を持たせて搬送できる搬送治具と、フレームとの着脱が容易にできる構造をもつ画像表示装置と搬送治具とを提供することにある。  
【課題を解決するための手段】
【０００８】
上記目的を達成するために、本発明の画像表示装置は、表示面を有した前面基板およびこの前面基板に対向配置された矩形状の背面基板を備えた外囲器と、前記背面基板の外面に取り付けられ前記外囲器を補強したフレームと、前記フレームに取り付けられ、前記フレームを搬送治具に係合するためのフックとから構成されることを特徴とする。
【０００９】
また、上記目的を達成するために、本発明の搬送治具は、表示面を備えた外囲器とこの外囲器を補強するフレームとからなる画像表示装置を搬送するための搬送治具において、補強部材と、この補強部材に取り付けられ前記フレームに設けられたフックに着脱する係合手段とを備えたことを特徴とする。
【００１０】
また、上記目的を達成するために、本発明の搬送方法は、上記に記載の搬送治具を用いて上記に記載の画像表示装置を搬送する搬送方法において、前記フレームに設けられたフックに前記搬送治具に設けられた係合手段を係合させる係合工程と、前記搬送治具により前記画像表示装置を搬送する搬送工程と、前記フックと前記係合手段の係合状態を解除する解除工程と、から成ることを特徴とする。
【発明の効果】
【００１１】
本発明によれば、薄型のフレームでも搬送中にフレームの変形を防ぐことのできる程度のフレーム強度を保ことのできる画像処理装置及び搬送治具が得られ、かつ、フレームと搬送治具との係合及び係合状態の解除が容易にできる構造を得ることが可能である。  
【発明を実施するための最良の形態】
【００１２】
以下、図面を参照しながら、本発明に係る画像表示装置をSEDに適用した実施の形態について詳細に説明する。
【００１３】
図１及び図２に示すように、SEDは、絶縁基板としてそれぞれ矩形状のガラスからなる前面基板４１、及び背面基板４２を備え、これらの基板は１〜２mmの隙間を置いて対向配置されている。そして、前面基板４１及び背面基板４２は矩形の枠状部材４３を介して周縁部同士が接合され、内部が真空状態に維持された偏平な矩形状の外囲器１０を構成している。前面基板４１の内面周縁部と枠状部材４３との間、及び背面基板４２の内面周縁部と枠状部材４３との間は、例えば、インジウムあるいはインジウム合金等の低融点金属封着材、フリットガラス等の低融点封着材により接合されている。
【００１４】
外囲器１０の内部には、前面基板４１及び背面基板４２に加わる大気圧荷重を支えるため、複数の板状の支持部材１４が設けられている。これらの支持部材１４は外囲器１０の短辺と平行な方向に配置されているとともに、長辺と平行な方向に沿って所定の間隔を置いて配置されている。なお、支持部材１４の形状については、特にこれに限定されるものではなく、例えば、柱状のスペーサ等を用いることもできる。
【００１５】
前面基板４１の内面上には表示面として機能する蛍光体スクリーン１５が設けられている。この蛍光体スクリーン１５は、赤、緑、青に発光する蛍光体層１６及びマトリクス上の黒色光吸収層１７を有している。蛍光体スクリーン１５上には、アルミニウム等からなるメタルバック２０が形成され、更に、メタルバックに重ねて図示しないゲッター膜が形成されている。
【００１６】
背面基板４２の内面上には、蛍光体層１６に電子を衝突させて励起する電子放出源として多数の表面伝導型の電子放出素子１８が設けられている。電子放出素子１８は、画素毎に対応して複数列及び複数行に配列され、それぞれの蛍光体層１６と１対１に対向して位置している。各電子放出素子１８は図示しない電子放出部、この電子放出部に電圧を印加する一対の素子電極等で構成されている。また、背面基板４２の内面上には、電子放出素子１８を駆動する多数の配線２１がマトリクス状に形成され、その端部は背面基板の周縁部に引き出されている。
【００１７】
上記のように構成されたSEDにおいて、画像を表示する場合、蛍光体スクリーン１５及びメタルバック２０にアノード電圧が印加され、電子放出素子１８から放出された電子ビームをアノード電圧により加速して蛍光体スクリーン１５の蛍光体層１６が励起されて発光し、画像を表示する。
【００１８】
次に図３乃至図７を参照して説明する。図３は外囲器１０の背面基板４２にフレーム３を取り付け、そのフレーム３上にフック１を取り付けた図、図４は図３で示したフック１に搬送治具を取り付ける図、図５はフック１と搬送治具のロッド９とによる係合及び係合状態の解除の構造を示した図、図６はロッド９に取り付けられた係合部材２５とボールブランジャ１１を示した図である。
【実施例１】
【００１９】
図３はフレーム３と外囲器１０との斜視図である。フレーム３は外囲器１０を補強するものであって、外囲器１０の背面基板４２に取り付けられており外囲器１０よりやや大きい形状である。
【００２０】
次に、フレーム３に取り付けられたフック１について説明する。４つのフック１はフレーム３のセンターOに対して対象に配置されている。図中の直線Ｌ、ＭはセンターOをとおりフレームの隣り合う２辺とそれぞれ略並行である。図中のX1,X2,Y1,Y2 はフック１の略中心点1’からＬ、Ｍまでの距離を表し、X1=X2,Y1=Y2で示される。これらのフック１はプレス成型された金属もしくは非鉄金属を使用する。フック1には結合部1a、結合部1b、係合部1cの部分が形成されており、係合部1cは凸状に形成されている。フック１をフレーム３に固定するにはフレーム３とフック１の結合部1a及び結合部1b部分に穴を設け、この穴にネジ（図示しない）を挿入して固定する方法、あるいはフレーム３とフック１の結合部1a及び結合部1b部分とに設けた穴にリベット１３（図６参照）をとおして固定する方法を適用する。
【００２１】
次に図４乃至図６に示された搬送治具５に関する詳細な説明をする。搬送治具５とは画像表示装置を搬送する際に用いる補助具のことで、SED等を搬送する際、ある工程から次の工程へ運ぶような製造工程間において使用する。
【００２２】
図４は搬送治具５とフレーム３とを係合させる前後を示しており、図４（a）は係合前、図４(b)は係合後を示している。この搬送治具５は矩形の枠部材5bとそれを補強するX字型の梁5aから構成されている。枠部材５bとX字型の梁5aとは強固に固定されている。枠部材５bにはフック１と搬送治具５とを係合させるための係合手段が設けられておりこの係合手段は、ノブ７と、ロッド９a、9bと、係合部材２５とで構成されている。ノブ7は枠部材5bに回動自在に取り付けられており、ロッド９a、9bのそれぞれの一端がノブ７に取り付けられ、ノブ７の回動に応じて枠部材5bに沿って進退自在に構成されている。ロッド９a、9bのそれぞれの他端には係合部材２５が取り付けられ、係合部材２５がフック１の係合部1cに係合できるようになっている。
【００２３】
フレーム３と搬送治具５との係合及び係合状態の解除は、フレーム３に取り付けられているフック１の係合部1c部分と、搬送治具５に取り付けられているロッド９a、ロッド9bの先端に取り付けられた係合部材２５との係合によって行われる。ロッド9a、ロッド9bは枠部材5bに沿ってノブ７に対して対称に配置されており、ノブ７の回動に応じて進退（スライド）させることができる。
【００２４】
次に図５の説明をする。図５は図４のノブ７、ロッド9a,ロッド9bの部分を拡大したものである。図５(a)はフック１に係合部材２５が係合される前、図５(b)は係合後の様子を示したものである。
【００２５】
図５（a）に基づいて係合させる動作について説明する。ノブ７を矢印方向Ｄに回動させてそれぞれの一端がノブ７に取り付けられているロッド９a、ロッド9bの位置を矢印方向Ｂ及びＣにそれぞれスライドさせることにより、ロッド９a、ロッド9bの他端に取り付けられた係合部材２５がフレーム３に取り付けられたフック１A、フック1Bにそれぞれ挿入されることによって図５(b)に示す係合状態となる。
【００２６】
図６は図５で示された搬送治具５に設けられた係合手段がフック１に係合されるときに、係合部材２５とフック１とが係合される様子が拡大されて示されている。係合部材２５には、スプリング（図示省略）によって支持され係合部材２５に対して突退可能なボールブランジャ１１が設けられている。次にボールブランジャ１１の動作について説明する。係合部材２５が矢印B方向にスライドし、ボールブランジャ１１のボール１１a先端がフック１の係合部１ｃに当接すると、ボール１１aが押されてスプリングが縮んで、ボール１１aが引っ込み、係合部材２５が係合部１ｃの内部に入り込み、さらにスライドさせると、フック１の反対側にボール１１aがスプリング力で飛び出してロックされる。このロックによって搬送治具５とフレーム３に装着され、搬送される。
【００２７】
このようにして搬送治具５によって画像表示装置が所定の場所まで搬送された後、搬送治具５とフレーム３の装着の解除を行う。この解除は上記に説明してきた係合させる動作の逆の動作を行うことによって達成できるので、詳細な説明は行わないが、概略以下のようにして行う。図５(b)のフック１と係合部材２５とが係合した状態でノブ７を矢印Dと反対方向に回動させ、ロッド9a,9bをそれぞれ矢印B、Cと反対方向にスライドさせる。このスライドによってボールブランジャ１１のボール１１aとフック１の係合部１ｃとの係合が外れる。
【実施例２】
【００２８】
図７は実施例１の変形例を示している。実施例１において、フレーム３にネジなどで取り付けていたフック１をフレーム３に直接プレス成型することでフック１を用いてフレーム３と搬送治具５を固定するようにした例である。
【実施例３】
【００２９】
図８は実施例１、実施例２における搬送治具５の変形例である。実施例１、実施例２においては、搬送治具５はX字型の梁を用いた構成であったのに対し、実施例３においては図８に示されるようにX字型の梁の代わりに平板形状の天板を組み合わせたものを用いて強度を保持している。
【図面の簡単な説明】
【００３０】
【図１】本発明の実施の形態に係るSEDの前面基板、背面基板の外観を示す斜視図。
【図２】図１の線A―Aに沿った断面図。
【図３】本発明の表示装置用フレームとフックの位置関係図。
【図４】本発明の表示装置用フレームと搬送治具とを取り付けをしめした斜視図。
【図５】(a),(b) 本発明の搬送治具に取り付けたロッドとフックの動きを示した表示装置用フレームの要部図。
【図６】本発明の搬送治具に取り付けたボールブランジャとフックを示した表示装置用フレームの要部図。
【図７】本発明の実施例２の斜視図。
【図８】本発明の実施例３の斜視図。
【符号の説明】
【００３１】
１  フック
３  フレーム
５  搬送治具
７  ノブ  
９  ロッド
１０  外囲器
１１  ボールプランジャ
１３  リベット
１４  支持部材
１５  スクリーン
１６  蛍光体層
１７  黒色光吸収層
１８  電子放出素子
２０  メタルバック
２５  係合部材
４１  前面基板
４２  背面基板
４３  枠状部材
【図１】
2005091662.tif 000003
【図２】
2005091662.tif 000004
【図３】
2005091662.tif 000005
【図４】
2005091662.tif 000006
【図５】
2005091662.tif 000007
【図６】
2005091662.tif 000008
【図７】
2005091662.tif 000009
【図８】
2005091662.tif 000010